(57)【要約】本発明の一実施例に従った魚の重量及び長さの測定装置は、外部端末に情報を送信する通信部と、魚を吊り下げて固定させる固定部と、前記固定部に連結され、前記固定部に吊り下げられた魚の重量に応答して弾性力を発生させる弾性部と、重量センサーを用いて前記弾性力を測定する重量測定部と、前記測定された弾性力をもとに、前記魚の重量の情報を生成する制御部を含むことができる。
2022500649.tif 000002
【特許請求の範囲】
【請求項１】
外部端末に情報を送信する通信部と、
魚を吊り下げて固定させる固定部と、
前記固定部に連結され、前記固定部に吊り下げられた魚の重量に応答して弾性力を発生させる弾性部と、
重量センサーを用いて前記弾性力を測定する重量測定部と、
前記測定された弾性力をもとに、前記魚の重量の情報を生成する制御部とを含むことを特徴とする、
魚の重量及び長さの測定装置。
【請求項２】
巻尺タイプの測定スケールを収容する測定スケールハウジングと、
前記測定スケールハウジングから引き出された測定スケールと、
前記測定スケールの末端に取り付けられた長さ指示器を含む長さ測定部をさらに含むことを特徴とする請求項１に記載の魚の重量と長さの測定装置。
【請求項３】
前記制御部は、
前記固定部に吊り下げられた魚の長さに応じて前記測定スケールが引き出され、前記測定スケールが引き出された長さが、予め設定された一定時間以上、変更されなければ、前記引き出された長さをもとに、前記魚の長さの情報を生成することを特徴とする請求項２に記載の魚の重量及び長さの測定装置。
【請求項４】
前記魚の重量及び長さの測定装置は、
前記魚の長さの測定をトリガリングする使用者の入力を受信するための入力部をさらに含み、
前記制御部は、前記入力部を介して前記使用者の入力が受信されることによって、
前記測定スケールが引き出された長さをもとに、前記固定部上にて前記魚が吊り下げられた位置から、前記指示器の位置までの距離を測定し、前記測定された距離を、前記魚の長さの情報として生成することを特徴とする請求項２に記載の魚の重量及び長さの測定装置。
【請求項５】
前記弾性部は、
前記弾性部の第１側に備えられた第１の連結部材を介して前記固定部に連結され、前記弾性部の第２側に備えられた第２の連結部材を介して、前記固定部の逆側に位置する前記装置の内部の一領域に備えられた連結部に連結され、
前記固定部に吊り下げられた魚の重量によって、前記第１の連結部材を介して重力方向の力により、前記第１側は下向きに撓み、前記重力方向の力による張力が前記第２の連結部材を介して前記連結部に伝達されることにより前記第２側は上向きに撓み、
前記上向き及び前記下向きに発生した撓みによって、前記弾性力が発生することを特徴とする請求項１に記載の魚の重量及び長さの測定装置。
【請求項６】
前記弾性部は、
前記第１の連結部材を介して伝達された重力方向の力によって発生した前記の下向きの撓みに弾性力を提供する第１弾性部材と、
前記第２の連結部材を介して伝達された張力によって発生した前記上向きの撓みに弾性力を提供する第２弾性部材とを、さらに含むことを特徴とする請求項５に記載の魚の重量及び長さの測定装置。
【請求項７】
前記通信部は、
前記魚に対して生成された重量の情報、および前記魚の長さの情報のうち少なくとも一つを、使用者の端末または測定サーバーに送信することを特徴とする請求項１に記載の魚の重量及び長さの測定装置。
【請求項８】
前記重量測定部は、
前記固定部に吊り下げられた魚の重量によって前記弾性部に力が加えられるのに伴って前記弾性部に発生する長さの変化を、前記重量センサーを介して測定し、
前記制御部は、前記重量センサーが前記長さの変化を測定するように制御し、予め保存された前記弾性部の長さの情報と対比した、前記測定された長さの変化を前記魚の重量に換算して、前記重量情報を生成することを特徴とする請求項１に記載の魚の重量及び長さの測定装置。
【請求項９】
前記重量測定部は、
前記重量測定部は、前記魚の重量と長さ測定装置の温度を測定する温度測定部を含み、
前記制御部は、前記測定された長さの変化をもとに、前記魚の重量情報を生成し、前記測定された温度に基づいて、前記測定された弾性部の長さの変化に対する補償値を生成し、前記生成された補正値をもとに、前記生成された重量情報が変更された、補償された重量情報を生成することを特徴とする請求項８に記載の魚の重量及び長さの測定装置。
【請求項１０】
魚の重量及び長さ測定の装置によって行われる、魚の重量及び長さを測定する方法であって、
魚が固定を感知する段階と、
重量センサーを用いて、前記固定された魚による弾性部の弾性力を測定する段階と、
前記測定された弾性力をもとに、前記魚の重量の情報を生成する段階と、
前記固定された魚の長さの方向に測定スケールが引き出されることにより、前記魚の長さの情報を生成する段階と、
前記生成された重量の情報および長さの情報を外部端末に送信する段階を含むことを特徴とする魚の重量及び長さを測定する方法。
【発明の詳細な説明】
【技術分野】
【０００１】
本発明は、魚の重量及び長さの測定装置及びその方法に関する。より詳しくは、重量センサーを用いて、魚の重量を測定し、固定された魚の長さをリアルタイムで測定する装置及びその方法に関する。
【背景技術】
【０００２】
近来、釣り人口が増加するにつれて、釣った魚の重量、長さを測定し、魚の種類を判別しようとする欲求が増大している。これに伴い魚重量測定装置が提供されている。魚重量測定装置は、魚を固定させた後、歪ゲージを利用した平面形態の魚測定装置の上に載せて重量を測定する。この際、魚を固定させるために加えられた圧力が魚重量測定装置に伝達され、正確な魚の重量を測定することが難しくなる問題が発生する。
【０００３】
このように歪ゲージが適用された従来の魚重量測定装置は、利用素材及び構造において限りがあるので、装置を製作するに当たって小型化及び軽量化するのが難しいという問題点が発生する。特に、使用者が釣りで大型魚を捕獲して重量と長さを測定する際、測定装置の構造が、魚の重量をすべて反映しきれないので、使用上の便宜性を低下させる。また、従来の魚重量測定装置を用いる際、長さは測定することができないので、魚の長さは、別途に測定しなければいけない。
【０００４】
それにも拘らず、軽量化と小型化に製作され、且つ魚の長さ及び重量を同時に簡便に測定することができる構造の魚重量測定装置が提供されていない。
【発明の概要】
【発明が解決しようとする課題】
【０００５】
本発明が解決しようとする技術的課題は、魚の重量及び長さを測定する装置及びその方法を提供するものである。
【０００６】
具体的には、本発明が解決しようとする技術的課題は、魚を固定させる固定部が備えられた重量測定装置に、魚を吊るして重力方向に魚の重量を測定する装置及びその方法を提供することである。
【０００７】
本発明が解決しようとするもう一つの技術的課題は、魚を固定部に吊るしたまま、備えられた測定スケールを用いて魚の長さを測定する装置及びその方法を提供することである。
【０００８】
本発明が解決しようとするもう一つの技術的課題は、温度補償機能を備え、温度差によって弾性体の変化量が均一でない場合でも、精度の高い重量を計測することが可能な装置及びその方法を提供することである。
【０００９】
本発明が解決しようとするもう一つの技術的課題は、測定された重量と長さの情報を使用者の端末および／または他の使用者の端末と共有することができる装置及びその方法を提供することである。
【００１０】
本発明が解決しようとするもう一つの技術的課題は、光センサーを用いて、弾性体の延びた長さを測定することにより、弾性体に加えられた力である魚の重量を測定することができる装置及びその方法を提供することである。
【００１１】
本発明の技術的課題は、以上で述べた技術的課題に限定されることなく、言及していない他の技術的課題としては、以下の記載により本発明の技術分野における通常の技術者に明確に理解されるであろう。
【課題を解決するための手段】
【００１２】
前記技術的課題を解決するための本発明の一実施例に従った魚の重量と長さ測定装置は、外部端末に情報を送信する通信部と、魚を吊り下げて固定させる固定部と、前記固定部に連結され、前記固定部に吊り下げられた魚の重量に応答して弾性力を発生させる弾性部と、重量センサーを用いて前記弾性力を測定する重量測定部と、前記測定された弾性力をもとに、前記魚の重量情報を生成する制御部とを含むことができる。
【００１３】
一実施例において、前記魚の重量と長さ測定装置は、巻尺タイプの測定スケールを収容する測定スケールハウジングと、前記測定スケールハウジングから牽引される測定スケールと、前記測定スケールの末端に取付られた指示器を含む長さ測定部とをさらに含むことができる。
【００１４】
一実施例において、前記制御部は、前記固定部に吊り下げられた魚の長さ方向に沿って前記測定スケールが引き出され、前記測定スケールの引き出された長さが、予め設定された一定時間以上、変更されなければ、前記引き出された長さを基に、前記魚の長さ情報を生成することができる。
【００１５】
一実施例において、前記魚の重量及び長さの測定装置は、前記魚の長さの測定をトリガリングする、使用者の入力を受信するための入力部をさらに含み、前記制御部は、前記入力部を介して前記使用者の入力が受信されることによって、前記測定スケールが引き出された長さをもとに、前記固定部上にて前記魚が吊り下げられた位置から、指示器の位置までの距離を測定し、前記測定された距離を前記魚の長さの情報として生成することができる。
【００１６】
一実施例において、前記弾性部は、前記弾性部の第１側に備えられた第１の連結部材を介して前記固定部に連結され、前記弾性部の第２側に備えられた第２の連結部材を介して、前記固定部の逆側に位置する前記装置内部の一領域に備えられた連結部に連結され、前記固定部に吊り下げられた魚の重量により、前記第１の連結部材を介して重力方向の力によって、前記第１側は下向きに撓む（反る）のであり、前記重力方向の力による張力が前記第２の連結部材を介して前記連結部に伝達されることにより、前記第２側は上向きに撓む（反る）のであり、前記上向き及び前記下向きに発生した撓み（たわみ；反り）によって、前記弾性力が発生し得る。
【００１７】
一実施例において、前記弾性部は、前記第１の連結部材を介して伝達された重力方向の力によって発生した前記下向きの撓み（反り）に弾性力を提供する第１の弾性部材と、前記第２の連結部材を介して伝達された張力によって発生した前記上向きの撓み（反り）に弾性力を提供する第２の弾性部材をさらに含むことができる。
【００１８】
一実施例において、前記通信部は、前記魚に対して生成された重量、および前記魚の長さの情報のうちの少なくとも一つを使用者の端末または測定サーバーに送信することができる。
【００１９】
一実施例において、前記重量測定部は、前記固定部に吊り下げられた魚の重量により、前記弾性部に力が加えられることによって前記弾性部に発生する長さの変化を、前記重量センサーを介して測定し、前記制御部は、前記重量センサーが前記長さの変化を測定するように制御し、予め保存された前記弾性部の長さの情報と対比した、前記測定された長さの変化を、前記魚の重量に換算して、前記重量情報を生成することができる。
【００２０】
一実施例において、前記重量測定部は、前記魚の重量と長さ測定装置の温度を測定する温度測定部を含み、前記制御部は、前記測定された長さの変化をもとに、前記魚の重量情報を生成し、前記測定された温度に基づいて、前記測定された弾性部の長さの変化に対する補償値を生成し、前記生成された補正値に基づいて、前記生成された重量情報が修正された補償された重量情報を生成することができる。
【００２１】
前記技術的課題を解決するための本発明のもう一つの実施例に従った魚の重量及び長さの測定方法は、魚の重量及び長さの測定装置によって実行されうる。具体的には、魚の重量および長さの測定方法は、魚が固定されたことを感知する段階と、重量センサーを用いて、前記固定された魚による弾性部の弾性力を測定する段階と、前記測定された弾性力をもとに、前記魚の重量情報を生成する段階と、前記固定された魚の長さ方向に測定スケールが引き出されることにより、前記魚の長さ情報を生成する段階と、前記生成された重量の情報および長さの情報を外部端末に送信する段階とを含むことができる。
【発明の効果】
【００２２】
本発明の一実施例によれば、吊り（引っ掛け）部を備えるように設計された魚の測定装置が提供されるので、歪みゲージを用いても、小型化及び軽量化が可能な魚重量測定装置が提供されるという利点がある。
【００２３】
また、本発明のもう一つの実施例によれば、歪ゲージまたは弾性体を金属材のほか、さまざまな素材を利用することができるので、測定装置の製作コストを最小限に抑えることができるという利点がある。
【００２４】
また、本発明のもう一つの実施例によれば、測定された重量及び長さを、通信網を介して共有することにより、互いに別の位置で釣りをする使用者同士の間の捕獲魚を比較することができるという効果がある。
【図面の簡単な説明】
【００２５】
【図１】本発明の一実施例に従った魚測定システムの概念図である。
【図２】本発明のいくつかの実施例にて参照している、魚が吊り下げられて固定された魚測定装置の例示である。
【図３】本発明のもう一つの実施例に従った魚測定装置のブロック（Ｂｌｏｃｋ）図である。
【図４】本発明のいくつかの実施例にて参照している、重量測定部を説明するための例示図(1)である。
【図５】本発明のいくつかの実施例において参照にしている、重量測定部を説明するための例示図(2)である。
【図６】本発明のいくつかの実施例にて参照している、長さ測定部を説明するための例示図である。
【図７】本発明のいくつかの実施例にて参照している、弾性部を説明するための例示図である。
【図８】本発明のもう一つの実施例に従った魚測定方法のフローチャートである。
【発明を実施するための形態】
【００２６】
以下、添付された図面を参照にして、本発明の好適な実施例を詳細に説明する。本発明の利点および特徴、そしてそれらを達成する方法は添付される図面と共に詳細に後述する実施例を参照すると明確になるであろう。しかし、本発明は、以下に記載する実施例に限定されるものではなく、互いに異なる多様な形態に具現されうるのであり、単に、本実施例は、本発明の記載が完全になるようにし、本発明が属する技術分野における通常の知識を有する者に発明の範疇を完全に知らせるために提供されるものであり、本発明は、請求項の範疇によって定義されるだけである。明細書全体にわたって同一参照符号は、同一の構成要素を指す。
【００２７】
特に断りがない限り、本明細書にて使用されるすべての用語（技術および科学的用語を含む）は、本発明が属する技術分野における通常の知識を有する者に共通して理解される意味で使用されることができるはずである。また、一般に使用される辞書に定義されている用語は、明白に特に断りがない限り、理想的または過度に解釈されない。本明細書にて使用される用語は、実施例を説明するためのものであり、本発明を制限するものではない。本明細書において、単数形は、文句にて特に言及しない限り、複数形も含まれる。
【００２８】
本明細書では、説明の便宜上、魚の重量及び長さの測定装置は、魚測定装置と略称する。
【００２９】
図１は、本発明の一実施例に従った魚測定システムの概念図である。
【００３０】
図１を参照すれば、魚測定システムは、魚測定装置１００、使用者端末２００と魚測定サーバー３００を含むことができる。
【００３１】
魚測定装置１００は、釣り活動で捕獲した魚を引っ掛け引き上げることのできる装置である。釣りレジャー活動をする使用者は、捕獲された魚を網や捕獲ボックスに保管する前に、写真を撮ったり、魚の重量または長さを測定したりすることができる。この際、魚を固定するために鉗子型フィッシンググリップ（Ｆｉｓｈｉｎｇ  Ｇｒｉｐ）が利用されるが、本発明の一実施例に従った魚測定装置１００は、固定部を備えてフィッシンググリップとして利用されうる。使用者は、魚を固定部に吊るしたまま、魚測定装置１００を把持し、写真を撮ることができる。
【００３２】
本発明のもう一つの実施例によれば、魚測定装置１００は、固定部に魚を吊り下げておくことにより、魚の重量を測定することができる。また、魚測定装置１００は、吊り下げておいた魚の長さ方向に内蔵された巻尺タイプの測定スケール（物差し、スケール）を用いて、魚の長さを測定することもできる。すなわち、魚測定装置１００は、魚の重量と長さを測定する測定装置として機能することができる。
【００３３】
本発明のもう一つの実施例によれば、魚測定装置１００は、測定された魚の重量および／または長さの情報を生成し、これを使用者端末２００と共有することができる。
【００３４】
このようにすべく、魚測定装置１００は、通信部を備え、外部端末と無線データ通信を行うための通信モジュールを備えることができる。すなわち、魚測定装置１００は、測定された魚の情報を生成し、外部端末と通信することができるコンピューティングデバイスとして機能することもできる。ここでは、外部端末は、使用者端末２００、他の使用者の端末、魚測定サーバー３００など、魚測定装置１００以外のコンピューティングデバイスを意味する。一実施例によれば、魚測定装置１００は、使用者端末２００と、近距離通信方式を通して、測定された魚の情報を共有することができる。
【００３５】
使用者端末２００は、釣りレジャーを楽しむ釣りメンバーの端末であって、例えば、魚測定装置１００の使用者が所有する端末でありうる。使用者端末２００は、例えば、スマートフォン、タブレットＰＣ、ラップトップＰＣ、ＰＤＡなどといったモバイルコンピューティングデバイスであることも可能であり、スマートグラス、スマートウォッチなどのウェアラブルコンピューティングデバイス、仮想現実（ＶＲ；Ｖｉｒｔｕａｌ  Ｒｅａｌｉｔｙ）画像装置、拡張現実（ＡＲ；Ａｕｇｍｅｎｔｅｄ  Ｒｅａｌｉｔｙ）画像機器などの画像コンピューティングデバイスのいずれかであることもありうる。
【００３６】
使用者端末２００は、釣りレジャー活動を通して捕獲された魚についての重量と長さの情報を魚測定装置１００から供給されて共有し、これを魚測定サーバー３００に送信することができる。使用者端末２００は、魚測定装置１００において釣り場所、季節、潮時、天気などの釣況情報を生成することができる。特に、使用者端末２００は、釣況情報と魚測定装置１００から供給されて共有した魚の重量および／または長さの情報をマッチングさせることができる。また、使用者端末２００は、共有された魚の重量および／または長さの情報と前記生成された釣況情報を組み合わせ、一つのデータセットを生成することもできる。このようなデータセットは、魚測定サーバー３００から提供されるＷｅｂサービス画面の構成単位になりうる。
【００３７】
使用者端末２００は、例えば、魚測定装置１００に吊り下げられて固定された魚の画像情報を獲得し、前記獲得された画像を解析し、魚の種類を識別することもできる。このようにすべく、使用者端末２００は、魚の種類を識別するための機械学習モデルを備えうる。使用者端末２００は、生成された情報を魚測定サーバー３００に送信することができる。
【００３８】
他の例において、魚の重量および／または長さの情報は、魚測定装置１００から魚測定サーバー３００に直ちに送信されることも可能である。すなわち、魚測定装置１００は、使用者端末２００に情報を供給して共有する方法のほかに、無線通信を介して魚測定サーバー３００に情報を送信することができる。魚測定サーバー３００は、魚測定装置１００で発生させるログデータを保存することができる。
【００３９】
魚測定サーバー３００は、デスクトップＰＣ、サーバー装置などといった固定式コンピューティングデバイスでありうるが、本発明の実施例は、これに限定されない。
【００４０】
次に、図２及び図３を参照しつつ、魚測定装置１００に対して、より具体的に説明する。図２は、本発明のいくつかの実施例にて参照されている、魚が吊り下げられて固定された魚測定装置１００の例示である。図３は、本発明のもう一つの実施例に従った魚測定装置１００のブロック（Ｂｌｏｃｋ）図である。
【００４１】
図２を参照すれば、魚測定装置１００は、固定部１１０とボディ部１６０を含むことができる。図２において、固定部１１０が、レバーによって開閉される鉗子状である場合が例として図示された。使用者は、レバーを操作して魚１０の頭、口やえらを鉗子で掴んで固定させることができる。使用者はボディ部１６０を把持し、固定部１１０に吊り下げられた魚１０を移したり、掴んでいたりすることができる。ボディ部１６０は、魚測定装置１００の構成要素を内蔵することができ、固定部１１０その他の、魚測定装置１００のハウジングを構成する。
【００４２】
図３を参照すれば、魚測定装置１００は、固定部１１０、測定部１２０、通信部１３０、電源供給部１４０、制御部１５０を含むことができる。また、図示していないが、魚測定装置１００は、使用者とのインタフェースを提供する入力部および／または出力部をさらに含むこともできる。
【００４３】
一実施例によれば、測定部１２０、通信部１３０、電源供給部１４０、制御部１５０は、図２のボディ部１６０に全部または一部が内蔵されうる。例えば、電源供給部１４０は、ボディ１６０の外面に着脱可能な構造でもって魚測定装置１００に備えられうる。
【００４４】
測定部１２０は、重量測定部１２１と長さ測定部１２２を含むことができる。
【００４５】
重量測定部１２１は、魚１０の重量を測定する。魚１０が固定部１１０に固定されると、魚１０の重量によって魚測定装置１００は、固定部１１０を介して重力方向に力を受けることになる。本発明の一実施例によれば、重量測定部１２１は、重量による弾性部の長さの変化を光学式で測定することができる。このようにすべく、重量測定部１２１は、重量センサーを備えることができる。
【００４６】
一例として、魚重量測定装置１００には、歪ゲージを用いた測定方式が適用された重量センサーが適用されうる。歪ゲージは、魚の重量が力に加わると、変形量を測定して電気的な信号に変換するセンサーである。
【００４７】
もう一つの例として、魚重量測定装置１００には、光学的測定方法が適用された重量センサーが適用されうる。
【００４８】
また、重量測定部１２１は、弾性部を含むこともできる。弾性部は、固定部１１０から延びて、固定部１１０が受けた重力方向の力によって長さに変化が起こる。
【００４９】
本発明の一実施例によれば、歪ゲージを用いた測定方式が利用され、弾性部には、金属材質又は弾性力を有する多様な素材が用いられうる。魚により重量が加えられると、弾性部の一側は、下方に力を受けるようになり、他方の一側は、連結部に連結された方向に力を受けるようになるので、弾性部の撓み（反り）が発生する。重量センサーは、このような物理的な撓み（反り）を測定し、これを電気的信号に変換し、魚の重量を測定する。
【００５０】
本発明のもう一つの実施例によれば、光学式測定方式が利用され、弾性部は金属材質でない多様な素材が用いられるのでありうる。例えば、弾性部はプラスチック素材が適用されることも可能である。
【００５１】
重量測定部１２１の動作について、図４及び図５の説明にて後述する。
【００５２】
長さ測定部１２２は、魚１０の長さを測定する。魚１０が固定部１１０に固定されると、魚１０の長さ方向に巻尺・帯尺タイプの測定スケールが魚の体長だけ引出され（Ｐｕｌｌｉｎｇ）、長さを測定することができる。このようにすべく、長さ測定部１２２には、内部に巻尺タイプの測定スケールが巻き込まれており、使用者が測定スケールの末端に位置する指示器（ポインタ）を掴んで引き出すことで、測定部１２２の外部に引き出される。測定スケールは、測定スケールのハウジングに巻き込まれて保管されうる。
【００５３】
長さ測定部１２２は、ボディ部１６０に内蔵されることができるが、本発明の実施例は、これらに限定されない。測定スケールハウジングは、ボディ部１６０と一体に形成されうる。すなわち、測定スケールハウジングはボディ部１６０の一部を構成することができ、ボディ部１６０の一部は、測定スケールハウジングとして機能し、ボディ部１６０の残りの領域は、魚測定装置１００の他の構成要素を内蔵するハウジングの役割を遂行することもできる。長さ測定部１２２の動作について、図６の説明にて後述する。
【００５４】
通信部１３０は、魚測定装置１００の有線・無線インターネット通信をサポートする。また、通信部１１０は、公衆通信網であるインターネットの他に様々な通信方式をサポートすることもできる。魚測定装置１００と無線通信システムとの間、魚測定装置１００と他の魚測定装置との間、魚測定装置１００と使用者端末２００との間のダイレクト通信、または魚測定装置１００と、外部端末（使用者端末または魚測定サーバー）が位置するネットワークとの間の無線通信を可能にする１つ以上のモジュールを含むことができる。
【００５５】
これらの通信部１３０は、放送受信モジュール、移動通信モジュール、無線インターネットモジュール、近距離通信モジュール、位置情報モジュールのうちの少なくとも一つを含むことができる。本発明の一実施例によれば、通信部１３０は、魚測定装置１００と使用者端末２００との間で、低電力の近距離無線通信をサポートするための、ＢＬＥ（Ｂｌｕｅｔｏｏｔｈ  Ｌｏｗ  Ｅｎｅｒｇｙ）モジュールを備えることもできる。
【００５６】
本発明の実施例によれば、通信部１３０は、魚測定装置１００にて生成された、魚１０の重量情報、長さ情報および／または魚測定装置１００の位置情報を、外部端末や、他の魚測定装置に送信することができる。
【００５７】
電源供給部１４０には、制御部１５０の制御の下で、外部の電源や内部の電源が印加され、魚測定装置１００に含まれた各構成要素に電力を供給する。
【００５８】
これらの電源供給部１４０は、バッテリーを含み、前記電池は内蔵バッテリーまたは交換可能な形態のバッテリーでありうる。
【００５９】
また、電源供給部１４０は、連結ポートを備えることができ、連結ポートは、バッテリーの充電のために電源を供給する外部の充電器が電気的に連結されるインタフェースの一例として構成されることができる。
【００６０】
もう一つの例として、電源供給部１４０は、前記連結ポートを用いずに、無線方式でバッテリーを充電するようになるのでありうる。この場合、電源供給１４０は、外部の無線電力伝送装置から、磁気誘導現象に基づいた誘導結合（Ｉｎｄｕｃｔｉｖｅ  Ｃｏｕｐｌｉｎｇ）方式や電磁的共振現象に基づいた電磁界共振結合（Ｍａｇｎｅｔｉｃ  Ｒｅｓｏｎａｎｃｅ  Ｃｏｕｐｌｉｎｇ）方式のいずれかを用いて、電力を伝達することができる。
【００６１】
制御部１５０は、魚測定装置１００の各構成の全般的な動作を制御する。制御部１５０は、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｏｒ  Ｕｎｉｔ）、ＭＣＵ（Ｍｉｃｒｏ  Ｃｏｎｔｒｏｌｌｅｒ  Ｕｎｉｔ）、ＡＰ（Ａｐｐｌｉｃａｔｉｏｎ  Ｐｒｏｃｅｓｓｏｒ）又は本発明の技術分野でよく知られている任意の形態のプロセッサを一つ以上含んで構成されうる。制御部１５０は、前記一つ以上のプロセッサを備えたＰＣＢを含んで構成されることも可能である。
【００６２】
本発明の実施例によれば、制御部１５０は、固定部１１０に魚１０が吊り下げられて固定されたことを感知することができる。また、制御部１５０は、弾性部１３０に発生した長さの変化を感知することができ、測定スケールが魚の末端に固定されたことを感知することもできる。
【００６３】
図示していないが、魚測定装置１００は、保存部を含むこともできる。保存部は各種データ、命令および／または情報を保存する。
【００６４】
本発明の実施例によれば、保存部は魚１０の重量情報、長さ情報などを保存することができる。また、通信部１３０に備えられた、位置情報モジュールから獲得された、魚測定装置１００の位置情報を保存することもできる。
【００６５】
保存部は、ＲＡＭのような揮発性メモリ及びストレージといった不揮発性メモリを含むことができる。揮発性メモリは、本発明の実施例に従った方法を実行するためにストレージから一つ以上のプログラムをロード（ｌｏａｄ）することができる。
【００６６】
また、保存部は、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、フラッシュメモリなどといった不揮発性メモリ、ハードディスク、取り外し型ディスク、または本発明が属する技術分野でよく知られた任意の形態のコンピュータで読み取り可能な記録媒体を含んで構成されることができる。
【００６７】
図４及び図５は、本発明のいくつかの実施例において参照にされている、重量測定部１２１を説明するための例示図である。図４を参照すれば、重量測定部１２１は、重量センサー４０１と弾性部４０２を含むことができる。弾性部４０２は、固定部１１０と物理的に連結される。
【００６８】
一実施例によれば、重量センサー４０１は、歪ゲージ方式の重量センサーであって、弾性部４０２の捩じれや撓みの程度を測定するのでありうる。
【００６９】
もう一つの実施例において、重量センサー４０１は、光センサーであって、発光部と受光部を含むのでありうる。発光部が照射した光を受光部で探知する過程において弾性部４０２の長さの変化を測定することもできる。
【００７０】
本発明の実施例は、これに限定されず、様々な種類の重量センサー４０１を魚測定装置１００に適用することができる。
【００７１】
重量測定部１２１は、魚１０を固定部１１０に固定させる前に、デフォルト状態の弾性部４０２の長さを測定することができる。制御部１５０または保存部は、デフォルト状態の弾性部４０２の長さの情報を保存することができる。
【００７２】
図５を参照すれば、魚１０が固定部１１０に吊り下げられると、重力方向の魚１０の重量が、固定部１１０に力５１０として作用する。この際、力５１０は、固定部１１０に連結された弾性部４０２に作用し、弾性部４０２の弾性力が発生する。この際、弾性力は、弾性部４０２の撓み（反り）又は長さの変化によって発生する。
【００７３】
具体的には、魚１０などの特定の客体が固定部１１０に力として作用する前であるデフォルト状態の弾性部４０２の長さに対比して、魚１０の重量による長さの変化５２０が弾性部４０２に発生する。重量センサー４０１が光センサーである場合、このような長さの変化５２０を測定することができ、これを電気的信号に切り換え、制御部１５０に伝達することができる。
【００７４】
または、長さの変化５２０は、弾性部４０２の左側と右側がそれぞれ互いに異なる方向に反ることにより発生する左右の高低差でありうる。この場合、重量センサー４０１は、歪ゲージ方式のセンサーであって、弾性部４０２が撓み（反り）や捻りの程度を測定することができ、これを電気的信号に切り換え、制御部１５０に伝達することができる。
【００７５】
一方、図５において、図２のボディ部１６０と連結される弾性部４０２の連結部５０１が図示された。連結部５０１のうちの一部の連結構造を介して、ボディ部１６０と物理的に連結される。例えば、ボディ部１６０の内部の一領域に、固定部１１０とボディ部１６０を連結する連結部５０１を介して、固定部１１０が固定されうる。
【００７６】
また、連結部５０１のうちの一部の構造は、重量センサー４０１によって測定された弾性部４０２の長さの変化５２０を、電気的信号で制御部１５０に伝達する電気的連結を提供することもできる。
【００７７】
連結部５０１は、ボディ部１６０の内部の一領域に連結することができる。すなわち、連結部５０１は、固定部１１０をボディ部１６０に連結する機能を果たし、固定部１１０に吊り下げられた魚の重量によって加えられる力をボディ部１６０に伝達することができる。
【００７８】
制御部１５０は、長さの変化５２０に関する情報の提供を受け、これを魚１０の重量に換算することができる。長さの変化５２０は、
【００７９】
本発明のもう一つの実施例によれば、制御部１５０は、温度補償機能を提供することができる。このようにすべく、重量測定部１２１は、魚測定装置１００の温度を測定する温度測定部を含むことができる。魚測定装置１００の温度は、魚測定装置１００の内部及び外部の温度のうち少なくとも一つの温度を意味しうる。
【００８０】
制御部１５０は、測定された温度をもとに、弾性部４０２の長さの変化に対する補償値を生成することができる。具体的には、制御部１５０は、魚測定装置１００に電源が供給されると、第１の時点で弾性部４０２のデフォルトの長さを測定し、この際の第１の温度を測定することができる。以後、第２の時点で魚１０が固定部１１０に吊り下げられ、弾性部４０２に長さの変化が発生した時、制御部１５０は、温度測定部を介して第２の時点の第２の温度を測定することができる。制御部１５０は、弾性部４０２の第１の温度のデフォルトの長さに対比して、第２の温度における変化した長さを測定することができる。
【００８１】
この際、制御部１５０は、第２の温度での弾性部４０２の長さの変化量を、第１の温度を基準とする長さの変化量に換算するための、補正値を生成することができる。または、制御部１５０は、第１の温度基準のデフォルトの長さを、第２の温度基準の弾性部４０２の長さに換算するための補正値を生成することもできる。
【００８２】
制御部１５０は、生成された補償値をもとに、制御部１５０が、温度の変化を反映しないで生成された重量情報を、変更することができる。すなわち、制御部１５０は、補償値が適用された重量情報を生成することができる。
【００８３】
図６は、本発明のいくつかの実施例にて参照にされている、長さ測定部を説明するための例示図である。図６においては、長さ測定部１２２が、測定スケールハウジング６００でもって、ボディ部１６０とは別途に構成される場合が例として図示している。
【００８４】
図６を参照すれば、長さ測定部１２２は、測定スケールハウジング６００、測定スケールハウジング６００の内部に巻き込まれて収容されている測定スケール６１０と、測定スケール６１０の末端に取り付けられた指示器６２０を含むことができる。
【００８５】
魚１０の長さを測定するために、使用者によって固定部１１０に吊り下げられた、魚１０の長さに沿って、測定スケール６１０が引き出されうる。これに伴い、魚１０の体長だけ測定スケール６１０が引き出されると、制御部１５０は、予め設定された一定時間以上、引き出しが中断されることを識別することができる。たとえば、引き出された長さが３秒以上変更されなければ、制御部１５０は、測定スケール６１０が魚１０の体長だけ引き出されたものと判断し、測定スケール６１０が引き出そ長さを測定することができる。制御部１５０は、測定された長さを、魚の長さ情報として生成することができる。
【００８６】
もう一つの実施例によれば、魚測定装置１００は、制御部１５０の魚の長さ情報の生成をトリガリングする入力を受信するための入力部を含むことができる。使用者が入力部を介して魚の長さ情報を生成するための入力が入力されると、制御部１５０は、測定スケール６１０が魚１０の体長だけ引き出されたものと判断し、引き出された測定スケール６１０の長さ情報を生成することができる。使用者の入力が受信されることによって、制御部１５０は、測定スケール６１０が、引き出された長さをもとに、固定部１１０上における魚１０が吊り下げられた位置から指示器６２０の位置までの距離を測定することができる。制御部１５０は、測定された距離を前記魚の長さ情報として生成することができる。
【００８７】
図７は、本発明のいくつかの実施例にて参照されている、弾性部を説明するための例示図である。弾性部４０２は、水平方向または垂直方向の構造物でありうるのであり、図７にて、弾性部４０２が水平方向の構造物である場合が、例として図示された。
【００８８】
図７を参照すれば、弾性部４０２は、右側の第１側が連結部材によって固定部１１０と連結するのでありうる。ここで、第１側と固定部１１０に吊り下げられた魚の重量による、重力方向の力７１０が、前記連結部材によって、第１の力７１１として伝達される。弾性部４０２の右側の第１側には、下方へと第１の力７１１が伝達される。これにより、弾性部４０２の右側には、下向きに撓み（反り）が発生する。
【００８９】
また、弾性部４０２は、左側の第２側が連結部材によって連結部５０１と連結されうる。ここで、重力方向の力７１０による張力が第２の力７１２として発生し、弾性部４０２の左側には上向きに撓み（反り）が発生する。
【００９０】
このように弾性部４０２には、右側に下向き、左側に上向きの撓み（反り）が発生して弾性力を発生させ、重量センサー４０１は、これを測定することができる。弾性力は、前記撓み（反り）だけでなく、捻りによって発生することもありうる。
【００９１】
もう一つの実施例において、弾性部４０２は、上向き及び下向きの撓み（反り）による構造変化を防止し、同じ弾性力を維持するために、第１の弾性部材７２１及び第２の弾性部材７２２を備えることもできる。上向きの反りまたは下向きの反りが繰り返し持続すると、弾性部４０２が、曲がってから元の形に回復されないということが発生しうるのであり、弾性部４０２が金属素材であった場合、より頻繁に発生する。また、弾性部４０２がプラスチック材料である場合にも、破損などの問題が発生しうる。このような場合を防ぐために、第１弾性部材７２１及び第２弾性部材７２２が、第１の力７１１、第２の力７１２に対応して弾性力を発生させるように備えられうる。この場合、重量センサー４０１が、第１弾性部材７２１及び第２弾性部材７２２による弾性力の低減を反映するように、制御部１５０は、重量センサー４０１によって測定された弾性力に補償値を加え、最終的に魚の重量を測定することができる。
【００９２】
図８は、本発明のもう一つの実施例に従った魚測定方法のフローチャートである。以下の各段階は、魚測定装置１００によって行われ、特に、以下の各段階は、制御部１５０が魚測定装置１００の各構成の動作を制御することによって行われる。図８を参照すれば、魚測定装置１００は、固定部１１０に吊り下げられた客体を感知することができる（Ｓ１０）。たとえば、客体は海産物でありうるのであり、特に、魚１０の場合を例に挙げて説明する。
【００９３】
魚測定装置１００は、重量測定部１２１を介して、固定部１１０に吊り下げられた客体の重量に応じて発生する、弾性部４０２の長さの変化を感知し、これをもとに、魚１０の重量を測定することができる（Ｓ２０）。
【００９４】
次に、魚測定装置１００は、長さ測定部１２２を介して、魚１０の長さを測定することもできる（Ｓ３０）。魚測定装置１００は、測定された魚１０の重量情報及び長さ情報を外部端末に送信することができる（Ｓ４０）。
【００９５】
外部端末は、受信された魚１０の重量及び長さの情報を記録し、受信情報を加工することで、釣りレジャー関連情報を生成することができる。
【００９６】
これまで添付された図面を参照して説明された本発明の実施例に係る方法は、コンピュータが読み取り可能なコードとして具現されたコンピュータプログラムの実行によって実行されることができる。前記コンピュータプログラムは、インターネットなどのネットワークを介して第１のコンピューティングデバイスから第２のコンピューティングデバイスに送信され、前記第２のコンピューティングデバイスにインストールすることができ、これにより前記第２のコンピューティングデバイスで使用することができる。前記第１のコンピューティングデバイス及び前記第２のコンピューティングデバイスは、サーバー装置、デスクトップＰＣといった固定式のコンピューティングデバイス、並びに、ノートブックＰＣ、スマートフォン、タブレットＰＣといったモバイルコンピューティングデバイスの全部を含む。
【００９７】
以上、添付された図面を参照して、本発明の実施例を説明したが、本発明が属する技術分野における通常の知識を有する者は、本発明がその技術的思想や必須の特徴を変更せず、他の具体的な形で実施されることができるということを理解できるであろう。したがって、上述した実施例は、あらゆる面で例示的なものであり、限定的なものではないものと理解されなければならない。
【図１】
2022500649.tif 000003
【図２】
2022500649.tif 000004
【図３】
2022500649.tif 000005
【図４】
2022500649.tif 000006
【図５】
2022500649.tif 000007
【図６】
2022500649.tif 000008
【図７】
2022500649.tif 000009
【図８】
2022500649.tif 000010
【国際調査報告】
2022500649.tif 000011
2022500649.tif 000012
2022500649.tif 000013
2022500649.tif 000014